(57)【要約】【課題】  クライアント端末からの要求に対して迅速に応答することができるとともに、プラントデータを収集するときにも広域ネットワークに大きな負担をかけないようにする。【解決手段】  統合監視サーバ５とプラント２とが広域ネットワーク３により接続されるとともに、統合監視サーバ５とクライアント端末４とが接続され、プラント２はデータサーバ１２とプラント監視制御装置１１を備えており、データサーバ１２はプラント監視制御装置１１から統合監視データ定義１８に定義されているデータ及び緊急情報のみ取得し、これらデータ及び緊急情報は統合監視サーバ５に送られるとともに、統合データベース７に保存され、統合監視サーバ５はクライアント端末４からの要求に従い統合データベース７から必要なデータを取得し、クライアント端末４にデータを送信する。【選択図】        図１
2006195554.tif 000002
【特許請求の範囲】
【請求項１】
統合監視サーバとプラントとがネットワークにより接続されるとともに、上記統合監視サーバとクライアント端末とが接続されているプラント監視システムにおいて、上記プラントはデータサーバとプラント監視制御装置を備えており、上記データサーバは上記プラント監視制御装置から統合監視データ定義に定義されているデータ及び緊急情報のみ取得し、これらデータ及び緊急情報は上記統合監視サーバに送られるとともに、統合データベースに保存され、上記統合監視サーバは上記クライアント端末からの要求に従い上記統合データベースから必要なデータを取得し、上記クライアント端末にデータを送信することを特徴とするプラント監視システム。
【請求項２】
定義データ設定ツールにより上記統合監視データ定義の内容を設定することを特徴とする請求項１記載のプラント監視システム。
【請求項３】
上記データサーバは、上記統合監視サーバに対して送信したデータを記憶する送信データ記憶機能を有することを特徴とする請求項１又は請求項２記載のプラント監視システム。
【請求項４】
上記データサーバから上記統合監視サーバにデータが送られているか否かを判断する検査手段を設けたことを特徴とする請求項１から請求項３のいずれか１項に記載のプラント監視システム。
【請求項５】
上記統合監視サーバは上記データサーバからデータを再収集できることを特徴とする請求項１から請求項４のいずれか１項に記載のプラント監視システム。
【請求項６】
上記データサーバを複数設置するとともに、上記統合監視サーバにいずれのデータサーバと接続するかを選択するための接続先選択機能を設置したことを特徴とする請求項１から請求項５のいずれか１項に記載のプラント監視システム。
【発明の詳細な説明】
【技術分野】
【０００１】
この発明は、広域ネットワークを利用した複数プラントの統合監視システムに関するものである。
【背景技術】
【０００２】
複数のプラントから収集されたデータを処理して統合的に監視をする従来の統合監視システムにおいては、監視対象となる複数のプラントと、これら複数のプラントを統合的に管理するための中央管理センターとが広域ネットワークにより接続されている。そして、これら複数のプラントには、プラントデータを蓄積しているデータベースと、このデータベースから取得されたデータを中央管理センターに送信するデータサーバが設置されており、また中央管理センターには、データを処理することを要求するクライアント端末と、クライアント端末からの要求に従って、複数のプラントのうちの該当するプラントのデータサーバからデータを取得して統合的に処理する統合サーバが設置されている（特許文献１参照）。
【０００３】
【特許文献１】特開２００４−１０２４４８号公報
【発明の開示】
【発明が解決しようとする課題】
【０００４】
従来の統合監視システムは以上のように構成されているので、次に述べるような問題点があった。即ち、プラントデータが蓄積されたデータベースは各プラントに設置されているため、クライアント端末においてデータを表示するためには、クライアント端末からの要求ごとに統合サーバが該当するプラントからデータを収集しなければならない。従ってクライアント端末にデータを迅速に送ることができないという問題があった。
【０００５】
また、複数のクライアント端末が同時にデータ処理を要求したような場合、統合サーバはこれらの要求に対応する分だけデータサーバと通信しなければならない。従ってネットワークにかかる負担が大きくなってしまい、動作異常や通信異常が発生してしまうという問題点もあった。
【０００６】
上記問題点を解決するため、統合サーバにデータベースを設置し、プラントからの全てのプラントデータを統合サーバに送信し、統合サーバがプラントデータを管理する方法も考えられる。しかしこの方法では、全てのプラントデータを統合サーバに送信するので、ネットワークにかかる負担が大きくなってしまい、通信異常などの発生によって、データに欠陥が生じてしまうという問題がある。
【０００７】
この発明は上記のような課題を解決するためになされたものであり、クライアント端末からの要求に対して迅速に応答することができるとともに、プラントデータを収集するときにもネットワークに大きな負担をかけることなく、複数のクライアント端末を接続することができる統合監視システムを得ることを目的とする。
【課題を解決するための手段】
【０００８】
この発明に係るプラント監視システムは、統合監視サーバとプラントとがネットワークにより接続されるとともに、統合監視サーバとクライアント端末とが接続されているものであって、プラントはデータサーバとプラント監視制御装置を備えており、データサーバはプラント監視制御装置から統合監視データ定義に定義されているデータ及び緊急情報のみ取得し、これらデータ及び緊急情報は統合監視サーバに送られるとともに、統合データベースに保存され、統合監視サーバはクライアント端末からの要求に従い統合データベースから必要なデータを取得し、クライアント端末にデータを送信するものである。
【発明の効果】
【０００９】
この発明に係るプラント監視システムによれば、統合監視サーバとプラントとがネットワークにより接続されるとともに、統合監視サーバとクライアント端末とが接続されているものであって、プラントはデータサーバとプラント監視制御装置を備えており、データサーバはプラント監視制御装置から統合監視データ定義に定義されているデータ及び緊急情報のみ取得し、これらデータ及び緊急情報は統合監視サーバに送られるとともに、統合データベースに保存され、統合監視サーバはクライアント端末からの要求に従い統合データベースから必要なデータを取得し、クライアント端末にデータを送信するので、クライアント端末からの要求に対して迅速に応答することができるとともに、プラントデータを収集するときにも広域ネットワークに大きな負担をかけることがなくなる。
【発明を実施するための最良の形態】
【００１０】
実施の形態１．
以下この発明の一実施形態を図に基づいて説明する。図１はこの発明の実施の形態１による統合監視システムを示すブロック構成図であり、図において、統合監視センター１は、監視の対象となる複数のプラント２と広域ネットワーク３により接続されている。
統合監視センター１においては、ユーザが操作することによって統合的に監視を行うことができるクライアント端末４と、クライアント端末４からの要求に応じて、プラント２から収集されたプラントデータを統合的に処理し、その結果をクライアント端末４に送信する統合監視サーバ５が設置されており、クライアント端末４と統合監視サーバ５はＬＡＮ（ローカルエリアネットワーク）６によって接続されている。
【００１１】
統合監視サーバ５は、プラント２から収集されたプラントデータを収納する統合データベース７を有しており、この統合データベース７は、定期的にプラント２から必要なデータを収集するデータ収集要求機能８によって取得されたデータ及びプラント２からの状態変化情報を受信する状態変化情報受信機能９によって取得されたデータを蓄積する。
【００１２】
また、統合処理機能１０は、クライアント端末４からの要求にしたがって、統合データベース７からデータを取得し、データを統合的に処理することによって得られる結果をクライアント端末４に返信する。
【００１３】
一方、プラント２においては、プラントを監視するとともに制御するプラント監視制御装置１１と、プラント監視制御装置１１からデータを取得し、統合監視サーバ５に必要なデータを送信するデータサーバ１２が設けられている。
プラント監視制御装置１１は、プラントの状態を監視するためのプラント監視機能１１とプラントデータを蓄積するためのデータベース１４を有している。
【００１４】
データサーバ１２はデータ収集応答機能１５、状態変化情報送信機能１６及びプラントデータ収集機能１７を有しており、データ収集応答機能１５は統合監視サーバ５のデータ収集要求機能８からのデータ収集要求を受け付け、必要なデータを収集して統合監視サーバ５に返信するものである。また、状態変化情報送信機能１６はプラント監視制御装置１１によって検出された異常状態などの状態変化情報を統合監視サーバ５の状態変化情報受信機能９に送信し、更に、プラントデータ収集機能１７はプラント監視制御装置１１から必要なデータを取得している。
【００１５】
また、プラントデータ収集機能１７は、統合監視サーバ５において必要とされるデータを定義した統合監視データ定義１８を有しており、プラントデータ収集機能１７は、統合監視データ定義１８を参照し、プラント監視制御装置１１から統合監視データ定義１８によって定義されたデータのみを取得する。
【００１６】
次に、この発明の実施の形態１による統合監視システムの動作について、フローチャートを参照しながら説明する。まず、統合監視サーバ５がプラント２からデータを収集する場合について説明する。
図２は統合監視サーバ５が定期的にプラントデータを取得する場合を示すフローチャートである。
ステップ２０１において、統合監視サーバ５のデータ収集要求機能８がプラント２のデータサーバ１２に於けるデータ収集応答機能１５にデータ取得要求信号を送信する。
【００１７】
ステップ２０２において、データ収集応答機能１５がデータ取得要求信号を受信すると、プラントデータ収集機能１７はプラント監視制御装置１１のデータベース１４において蓄積されているデータを取得する。このとき、プラントデータ収集機能１７は、統合監視データ定義１８によって定義されているデータだけを取得する。
ステップ２０３においては、データサーバ１２は取得されたデータをデータ収集要求機能８に送信する。
【００１８】
ステップ２０４において、データ収集要求機能８は受信したプラントデータを統合データベース７において保存する。ステップ２０５においては、上記の動作が全てのプラント２に対して定期的に実施されたかどうかが判断され、上記の動作が全てのプラント２に対して実施された場合に動作は終了する。以上のようにして、統合データベース７の内容が更新される。
【００１９】
更に、故障などの緊急情報はプラント２のデータサーバ１２から統合監視サーバ５に送られるとともに、統合データベース７において保存される。図３は緊急情報が送信される場合を示すフローチャートである。先ずステップ３０１において、プラント監視制御装置１１のプラント監視機能１３が故障を検出する。次にステップ３０２において、プラント監視制御装置１１のプラント監視機能１３はデータサーバ１２のプラントデータ収集機能１７にこの情報を通知する。
【００２０】
ステップ３０３においては、プラントデータ収集機能１７は、この情報が統合監視データ定義１８によって登録されているかどうかを判断する。ステップ３０４においては、この情報が統合監視データ定義１８によって登録されている場合には、状態変化情報送信機能１６が統合監視サーバ５に故障情報を送る。この情報が統合監視データ定義１８によって登録されていない場合には、動作を終了する。ステップ３０５においては、統合監視サーバ５の状態変化情報受信機能９が故障情報を受信して、故障情報は統合データベース７において保存される。
【００２１】
次に、クライアント端末４によってユーザが統合的に監視を行う場合の動作について説明する。図４はクライアント端末４によってユーザが統合的に監視を行う場合を示すフローチャートである。
先ずステップ４０１において、クライアント端末４が統合監視サーバ５に対して、データを送ることを要求する。
【００２２】
ステップ４０２において、統合監視サーバ５の統合処理機能１０がこの要求信号を受け、統合データベース７から必要なデータを取得する。ステップ４０３において、統合処理機能１０は取得されたデータを統合的に処理し、統合監視サーバ５はこのデータをクライアント端末４に送信する。そしてステップ４０４において、クライアント端末４は処理されたデータを受信し、このデータはクライアント端末４の画面において表示される。
【００２３】
以上のように本発明においては、統合監視サーバ５に統合データベース７を設置し、更に統合監視サーバ５に定期的にプラントデータを収集するための機能と、プラント２において発生した異常状態などの緊急情報を通知するための機能を設けたものである。従って、統合データベース７の内容を最新の状態に保つことができる。
【００２４】
また、プラント２のデータサーバ１２においては、プラントデータ収集機能１７は統合監視データ定義１８によって定義された情報のみを取得し、統合的に監視するために必要なデータだけが統合監視サーバ５に送られる。従って統合監視サーバ５がデータを取得する際、広域ネットワーク３にかけられる負担を低く抑えることができる。
【００２５】
また、ユーザがクライアント端末４によって統合的に監視する場合においても、クライアント端末４は統合監視サーバ５に於ける統合データベース７からデータを取得するので、クライアント端末４から要求がある度毎に必要なデータをプラント２から収集する必要がなく、迅速に応答することができるとともに、統合監視サーバ５に複数のクライアント端末４を接続しても、広域ネットワーク３にかかる負担は軽くて済み、複数のクライアント端末４によって監視することが可能となる。
【００２６】
実施の形態２．
図５はこの発明の実施の形態２による統合監視システムのプラント２部分を示すブロック構成図である。上記実施の形態１においては、予め定義された統合監視データ定義１８を用いることにより、プラントデータ収集機能１７が収集されるデータの選択を行う場合について述べたが、図５に示すように、定義データ設定ツール２１を設けることもできる。この定義データ設定ツール２１は、統合監視データ定義１８の内容を設定するものであり、これにより統合監視データ定義１８による設定作業を軽減することができる。例えば、定義データ設定ツール２１としては、プラント2のデータベース１４にアクセスして登録されているプラントデータの一覧を取得し、その一覧から必要なデータを選択する方法などが考えられる。
【００２７】
実施の形態３．
図６はこの発明の実施の形態３による統合監視システムのプラント２部分を示すブロック構成図である。上記実施の形態１においては、プラントデータ収集機能１７が統合監視データ定義１８によって定義されているプラントデータのみを収集して、これらデータを統合監視サーバ５に送る場合について述べたが、図６に示すように、プラントデータ収集機能１７に送られたデータを記憶するための送信データ記憶機能３１を設けることもできる。そしてプラントデータ収集機能１７に送られたデータと送信データ記憶機能３１により記憶されているデータは比較され、データが更新されている場合のみ、データは統合監視サーバ５に送られるものである。
【００２８】
図７は実施の形態３による統合監視システムの動作を示すフローチャートである。先ずステップ７０１において、統合監視サーバ５がプラント２のデータサーバ１２に対してデータ収集要求信号を送信する。次にステップ７０２において、データサーバ１２はデータ収集要求信号を受信し、プラントデータ収集機能１７が統合監視データ定義１８により定義されているデータのみをプラント２のデータベース１４から取得する。
【００２９】
ステップ７０３においては、プラントデータ収集機能１７により取得されたデータと送信データ記憶機能３１により記憶されている以前に送られたデータが比較される。そしてデータが異なっている場合には、ステップ７０４において、送信データ記憶機能３１によって送信されたデータが記録され、更にステップ７０５、７０６において、このデータは統合監視サーバ５に送られ、統合データベース７において保存される。
【００３０】
データが同じである場合には、データは統合監視サーバ５には送られない。以上の動作が全てのプラント２に対して行われる。
以上のように、更新されたデータのみが統合監視サーバ２に送られるので、送信されるデータの量を減らすことができ、より多くのプラントを監視することができるようになる。更には広域ネットワーク３にかかる負担を減らすことができる。
【００３１】
実施の形態４．
本実施形態においては、データサーバ１２から統合監視サーバ５にデータが送られているか否かを判断する検査手段を統合監視システムに設けたものである。図８はこの発明の実施の形態４による統合監視装置の動作を示すフローチャートである。先ずステップ８０１において、統合監視サーバ５のデータ収集要求機能８が定期的にデータサーバ１２に対して、データ収集要求信号を送る。そしてステップ８０２において、統合監視サーバ５はデータ収集要求機能８が該当するデータを受信したかどうかを判断し、ステップ８０３において、データ収集要求機能８が該当するデータを受信した場合には、通信は正常であると判断される。
【００３２】
一方、ステップ８０４において、データ収集要求機能８が応答データを受信しなかった場合には、通信は異常であると判断される。以上の動作が全てのプラント２に対して行われる。このように、プラント２との通信異常を容易に検出することができる。
【００３３】
実施の形態５．
上記実施の形態１においては、データ収集要求機能８と状態変化情報受信機能９が定期的にデータを収集する場合について説明したが、データ収集要求機能８は定期的にデータを収集するのみならず、データを再収集できるように構成することもできる。これにより、統合データベース７が壊れた場合でも、簡単に統合データベースを復元することができるようになる。
【００３４】
図９はこの発明の実施の形態５による統合監視システムの動作を示すフローチャートである。本実施形態においては、先ずステップ９０１において、クライアント端末４が統合監視サーバ５に対してデータを再収集するように要求する。ステップ９０２において、統合監視サーバ５はクライアント端末４から再収集要求信号を受信し、統合監視サーバ５のデータ収集要求機能８はデータサーバ１２に対してデータの再収集要求信号を送信する。
【００３５】
ステップ９０３において、データサーバ１２はプラント監視制御装置１１のデータベース１４から必要なデータを収集し、ステップ９０４において、データサーバ１２は取得したデータを統合監視サーバ５に送信する。ステップ９０５において、統合監視サーバ５は各データサーバ１２から取得したデータを統合データベース７において保存し、統合データベース７を復元する。以上の動作が全てのプラント２に対して行われる。
【００３６】
このように構成することにより、例え統合データベース７が故障したとしても、容易に統合データベース７を復元することができる。
【００３７】
実施の形態６．
図１０はこの発明の実施の形態６による統合監視システムを示すブロック構成図である。上記実施の形態１においては、一台のデータサーバ１２がプラントデータを収集する場合について説明したが、図１０に示されるように、プラント２に二台のデータサーバ１２ａ、１２ｂを設け、二台のデータサーバ１２ａ、１２ｂと統合監視サーバ５とを広域ネットワーク３によって接続するように構成してもよい。
【００３８】
統合監視サーバ５においては、接続先選択機能６１を設け、この接続先選択機能６１はデータサーバ１２ａ、１２ｂの状態を検査し、接続すべきデータサーバ１２ａ、１２ｂを自動的に選択するものである。
以上のように構成することにより、一方のデータサーバ１２が故障したり、あるいはデータサーバ１２と広域ネットワーク３との間で通信異常が発生しても、他方のデータサーバ１２を利用することにより通信を確保することができる。従って信頼性の高い統合監視システムを構築することができる。
なお、図１０においては、二台のデータサーバ１２ａ、１２ｂを設けた場合について説明したが、データサーバ１２を三台以上設けてもよい。
【図面の簡単な説明】
【００３９】
【図１】この発明の実施の形態１による統合監視システムを示すブロック構成図である。
【図２】この発明の実施の形態１による統合監視システムの動作を示すフローチャートである。
【図３】この発明の実施の形態１による統合監視システムの動作を示すフローチャートである。
【図４】この発明の実施の形態１による統合監視システムの動作を示すフローチャートである。
【図５】この発明の実施の形態２による統合監視システムのプラント部分を示すブロック構成図である。
【図６】この発明の実施の形態３による統合監視システムのプラント部分を示すブロック構成図である。
【図７】この発明の実施の形態３による統合監視システムの動作を示すフローチャートである。
【図８】この発明の実施の形態４による統合監視システムの動作を示すフローチャートである。
【図９】この発明の実施の形態５による統合監視システムの動作を示すフローチャートである。
【図１０】この発明の実施の形態６による統合監視システムを示すブロック構成図である。
【符号の説明】
【００４０】
２  プラント、３  ネットワーク、４  クライアント端末、５  統合監視サーバ、
７  統合データベース、１１  プラント監視制御装置、１２  データサーバ、
２１  定義データ設定ツール、６１  接続先選択機能。
【図１】
2006195554.tif 000003
【図２】
2006195554.tif 000004
【図３】
2006195554.tif 000005
【図４】
2006195554.tif 000006
【図５】
2006195554.tif 000007
【図６】
2006195554.tif 000008
【図７】
2006195554.tif 000009
【図８】
2006195554.tif 000010
【図９】
2006195554.tif 000011
【図１０】
2006195554.tif 000012